(57)【要約】【課題】画面上にできるだけ多くのアイコンを表示可能としつつ、はじめてアイコンを見た使用者でもそのアイコンの内容をできるだけ把握できるようにする。【解決手段】アイコンの詳細な内容を表示するヘルプ表示が行われた回数を集計し、その回数が所定の回数未満のアイコンについては、その内容を簡略化した第一のアイコンで表示させ、集計した回数が所定の回数以上のアイコンについては、その内容を示す文字列により構成され、第一のアイコンよりも大きいサイズの第二のアイコンで表示させる。これにより、回数が多いアイコンは、使用者が内容を把握できていないと考えられるので第二のアイコンで表示が行われ、回数が少ないアイコンは、使用者が内容を把握できていると考えられるので第一のアイコンで表示が行われて、使用者がアイコンを把握できる可能性が高くなる。また、第二のアイコンの総数をできるだけ少なくすることができる。【選択図】図３
2013246536.tif 000002
【特許請求の範囲】
【請求項１】
ジョブの内容または文字列の簡略化した内容を示すアイコンをディスプレイの画面上に一覧表示するアイコン表示装置であって、
アイコンを識別する識別情報と、そのアイコンの内容を簡略化した第一のアイコンを示す第一のアイコン情報と、前記アイコンの内容を示す文字列により構成され、前記第一のアイコンよりも大きいサイズの第二のアイコンを示す第二のアイコン情報と、前記アイコンの詳細な内容を示すヘルプ表示情報とを関連付けて記憶する記憶部と、
前記画面上に表示されたアイコンの詳細な内容を示すヘルプ表示を行う際に操作される操作部と、
前記操作部が操作された場合に、前記記憶部から前記アイコンの識別情報に関連付けて記憶されているヘルプ表示情報を抽出して前記画面上に表示させる第一の表示制御部と、
前記第一の表示制御部により前記ヘルプ表示を行った回数を集計する集計部と、
前記集計部にて集計した回数を示す回数情報が所定の値未満のアイコンについては、前記記憶部を参照して、前記アイコンの識別情報に関連付けて記憶されている第一のアイコン情報を抽出して前記画面上に表示させ、前記集計部にて集計した回数を示す回数情報が所定の値以上のアイコンについては、前記記憶部を参照して、前記アイコンの識別情報に関連付けて記憶されている第二のアイコン情報を抽出して前記画面上に表示させる第二の表示制御部と、
を備えたことを特徴とするアイコン表示装置。
【請求項２】
現在時刻を刻む時計部を有し、前記集計部は、前記時計部を用いて、所定時間内の回数のみを集計することを特徴とする請求項１に記載のアイコン表示装置。
【発明の詳細な説明】
【技術分野】
【０００１】
本発明は、プログラムやファイルなどのジョブ、文字列の内容を示す簡略化されたボタン状のグラフィックにより構成されるアイコンをディスプレイに表示するアイコン表示装置に関する。
【背景技術】
【０００２】
一般的に、パーソナルコンピューターなどでは、ディスプレイの画面上にアイコンを表示することが行われている。このアイコンは、パーソナルコンピューターで処理されるプログラムやファイルなどのジョブの内容を簡単な記号や文字、絵柄などのボタン状のグラフィックで簡略化して表現したものであり、使用者がアイコンを操作することで、そのアイコンに対応するジョブを実行することができる。このようなアイコンを用いると、ジョブの内容がボタン状のグラフィックで表示されるため、ディスプレイの限られた表示領域に多くのジョブの一覧を表示することが可能となる。
【０００３】
また、上述したように操作可能なアイコン以外にも、単に状態を示す文字列の内容を簡略化して表示するためのアイコンも存在している。このようなアイコンは、人や物などを示す情報の近傍に配置されることで、それらの人や物の状態を表すために用いられる。
【０００４】
ところで、アイコンによって表示を行った場合、アイコンの記号や文字、絵柄などが簡単すぎると、使用者はアイコンを見ただけではその内容を把握することができないことがあった。このような問題を解決するために、ディスプレイの画面上を自由に移動可能なカーソルがアイコン上に移動した場合に、アイコンの詳細な内容を示すヘルプ表示を行う技術が知られている（例えば、特許文献１を参照）。
【０００５】
この特許文献１に記載の技術では、アイコンのヘルプ表示回数が多い場合には、カーソルがアイコン上に移動してから所定の待ち時間を経過した後にヘルプ表示が行われる。これにより、同一のアイコンを繰り返し使用する場合に不要なヘルプ表示を抑えることができる。また、ヘルプ表示回数が少ないアイコンについては、待ち時間なくヘルプ表示が行われるので、そのヘルプを見た使用者は、アイコンの詳細な内容を把握することができる。
【０００６】
また、アイコンの中には、ジョブなどの内容を示す文字列の代表的な一文字を用いたアイコンや、ジョブなどの内容を示す文字列をそのまま用いたアイコン、これらに加えてジョブなどの内容を示す絵柄を用いたアイコン、ジョブなどの内容を示す絵柄のみを用いたアイコンなどが存在する。
【０００７】
これらのアイコンのうち、ジョブなどの内容を示す文字列の代表的な一文字を用いたアイコンや、代表的な一文字に絵柄を加えたアイコン、絵柄のみで構成されるアイコンでは、使用者は、これらのアイコンの内容を認識していないと、アイコンを見ただけではそのアイコンの詳細な内容を把握することができなくなってしまうという問題があった。
【０００８】
一方、ジョブなどの内容を示す文字列をそのまま用いたアイコンや、これに加えてジョブの内容を示す絵柄を用いたアイコンでは、使用者は、これらのアイコンの内容を認識していなくても、アイコンを見ただけでそのアイコンの内容をある程度把握することができる。しかしながら、アイコンに表示される文字列が増えるため、それらの文字列を使用者に視認させようとすると、アイコン自体を大きく表示する必要が生じ、アイコンの表示面積が増えてしまうという問題があった。
【０００９】
これらの問題を解決するために、汎用度の低いジョブなどについては、その内容を文字列で詳細に表示し、汎用度の高いジョブなどについては、その内容をアイコンで簡略的に表示する技術が知られている(例えば、特許文献２を参照）。
【先行技術文献】
【特許文献】
【００１０】
【特許文献１】特開平９−３１９５４１号公報
【特許文献２】特開２０１０−４３０１号公報
【発明の概要】
【発明が解決しようとする課題】
【００１１】
しかしながら、上述した特許文献２に記載の技術では、ジョブの頻度、すなわち、アイコンの選択によるアイコンの使用回数によって、詳細な文字列表示を行うか、簡略的なアイコン表示を行うかを設定しているので、アイコンを表示するアイコン表示装置を複数の使用者で共用する場合には、はじめてアイコンを見た使用者がそのアイコンの内容を把握することができなくなる可能性が生じてしまうという問題があった。
【００１２】
本発明は、これらの問題を解決するために成されたものであり、ディスプレイの画面上にできるだけ多くのアイコンを表示可能としつつ、はじめてアイコンを見た使用者でもそのアイコンの内容をできるだけ把握できるようにすることを目的とする。
【課題を解決するための手段】
【００１３】
上述した課題を解決するために、本発明では、アイコンの詳細な内容を表示するためのヘルプ表示が行われた回数をアイコン毎に集計し、その回数が所定の回数未満のアイコンについては、そのアイコンの内容を簡略化した第一のアイコンで表示するとともに、集計した回数が所定の回数以上のアイコンについては、そのアイコンの内容を示す文字列により構成され、第一のアイコンよりも大きいサイズの第二のアイコンで表示するようにしている。
【発明の効果】
【００１４】
上記のように構成した本発明によれば、ヘルプ表示回数が多いアイコンは、アイコンを見た使用者が内容を把握できていないと考えられるため、アイコンの内容を示す文字列により構成される第二のアイコンで表示が行われ、ヘルプ表示回数が少ないアイコンは、アイコンを見た使用者が内容を把握できていると考えられるため、アイコンの内容を簡略化した第一のアイコンで表示が行われるので、使用者がディスプレイの画面上に表示されるアイコンを把握できる可能性が高くなる。また、第一のアイコンで表示しても使用者が内容を把握できるアイコンについては、簡略化した表示が行われ、第一のアイコンよりも大きいサイズの第二のアイコンを少なくすることができるので、ディスプレイの画面上にできるだけ多くのアイコンを表示することができる。
【図面の簡単な説明】
【００１５】
【図１】本実施形態によるアイコン表示装置の構成例を示すブロック図である。
【図２】本実施形態によるアイコン表示装置の記憶部の内容例を示す図である。
【図３】本実施形態によるアイコン表示装置の表示例を示す図である。
【図４】本実施形態によるアイコン表示装置の変形例を示すブロック図である。
【発明を実施するための形態】
【００１６】
以下、本発明の一実施形態を図面に基づいて説明する。図１は、本実施形態によるアイコン表示装置の構成例を示すブロック図である。同図において、アイコン表示装置１は、パーソナルコンピューターにより構成されており、パーソナルコンピューター内の記憶装置に格納されているプログラムを実行することでアイコンを表示している。ここで、アイコン表示装置１は、制御部２、記憶部３、操作部４、第一の表示制御部５、集計部６、第二の表示制御部７、インターフェース８を備えて構成されている。
【００１７】
制御部２は、アイコン表示装置１の各構成要素を後述するように制御するためのものであり、ＣＰＵ（Central Processing Unit）やメモリーなどにより構成されている。記憶部３は、メモリーやハードディスク装置などの記憶装置により構成されており、各アイコンの識別情報と、各アイコンの内容を簡略化した画像である第一のアイコンを示す第一のアイコン情報と、各アイコンの内容を示す文字列により構成され、第一のアイコンよりも大きいサイズの画像である第二のアイコンを示す第二のアイコン情報と、各アイコンの詳細な内容を示すヘルプ表示情報とを関連付けて予め記憶している。
【００１８】
ここで、各アイコンは、本実施形態によるアイコン表示装置１が使用される目的により異なる。例えば、本実施形態によるアイコン表示装置１が高齢者の集合住宅を管理するシステムに導入された場合には、図２に示すように、各入居者の状態を示すアイコンが用いられる。具体的には、識別情報が「０００１」のアイコンは、第一のアイコン情報として「泊」の文字を囲んでグラフィカルに表現した画像情報が用いられ、第二のアイコン情報として「外泊」の文字を囲んでグラフィカルに表現した画像情報が用いられる。また、このアイコンのヘルプ表示情報としては、「入居者が外泊しています」というテキスト情報が用いられる。
【００１９】
また、識別情報が「０００２」のアイコンは、第一のアイコン情報として「出」の文字を囲んでグラフィカルに表現した画像情報が用いられ、第二のアイコン情報として「外出」の文字を囲んでグラフィカルに表現した画像情報が用いられる。また、このアイコンのヘルプ表示情報としては、「入居者が外出しています」というテキスト情報が用いられる。
【００２０】
同様に、識別情報が「０００３」のアイコンは、第一のアイコン情報として「在」の文字を囲んでグラフィカルに表現した画像情報が用いられ、第二のアイコン情報として「在室」の文字を囲んでグラフィカルに表現した画像情報が用いられる。また、このアイコンのヘルプ表示情報としては、「入居者が在室しています」というテキスト情報が用いられる。これらのアイコンは、図３に示すように、各住戸の部屋番号や入居者の氏名とともに表示欄内に表示される。
【００２１】
操作部４は、一般的なパーソナルコンピューターの操作手段であるマウスなどで構成されている。また、操作部４は、後述するディスプレイに表示されているアイコンを選択してヘルプ表示を行わせる操作である。例えば、マウスのカーソルをアイコン上でクリックすることでヘルプ表示を行わせることが可能である。
【００２２】
第一の表示制御部５は、ＣＰＵやメモリーなどにより構成されており、操作部４が操作されたことを検出すると、操作された対象となるアイコンを特定し、そのアイコンの識別情報を取得する。そして、第一の表示制御部５は、記憶部３を参照して、取得した識別情報に関連付けて記憶されているヘルプ表示情報を抽出し、ディスプレイの画面上で操作部４が操作された座標の近傍などにヘルプ表示を行う。すなわち、操作されたアイコンの近傍にヘルプ表示が行われる。なお、本実施形態では、アイコンの近傍にヘルプ表示が行われるが、画面上の所定の位置にヘルプ表示を行うようにしても良い。
【００２３】
集計部６は、アイコン毎にヘルプ表示が行われた回数を集計する。この回数を示す回数情報は、各アイコンの識別情報に関連付けて記憶部３に記憶される。
【００２４】
第二の表示制御部７は、ＣＰＵやメモリーなどにより構成されており、集計部６にて集計された回数を示す回数情報が所定の回数以上であるか否かを判定する。回数情報が所定の回数未満であると第二の表示制御部７にて判定した場合には、第二の表示制御部７は、記憶部３を参照して、そのアイコンの識別情報に関連付けて記憶されている第一のアイコン情報を抽出し、ディスプレイの画面上で操作部４が操作された座標に表示させる。
【００２５】
ここで、ディスプレイの画面上に第一のアイコンが既に表示されている場合には、第二の表示制御部７は、第一のアイコンの表示を継続させ、第二のアイコンが表示されている場合には、第二の表示制御部７は、第二のアイコンの表示から第一のアイコンの表示へ切り替える。
【００２６】
また、回数情報が所定の回数以上であると第二の表示制御部７にて判定した場合には、第二の表示制御部７は、記憶部３を参照して、そのアイコンの識別情報に関連付けて記憶されている第二のアイコン情報を抽出し、ディスプレイの画面上で操作部４が操作された座標に表示させる。
【００２７】
ここで、ディスプレイの画面上に第二のアイコンが既に表示されている場合には、第二の表示制御部７は、第二のアイコンの表示を継続させ、第一のアイコンが表示されている場合には、第二の表示制御部７は、第一のアイコンの表示から第二のアイコンの表示へ切り替える。
【００２８】
インターフェース８は、アイコン表示装置１とディスプレイとを接続して、アイコン表示装置１にて生成される画像信号をディスプレイに出力する。
【００２９】
このように構成されたアイコン表示装置において、図３に示す例では、識別情報「０００１」で特定されるアイコンは、ヘルプ表示回数が所定の回数未満であると第二の表示制御部７にて判定されるため、２０１号室の入居者「○○  ○子」の近傍の表示領域に、第一のアイコンである「泊」の表示が行われる。また、識別情報「０００２」で特定されるアイコンは、ヘルプ表示回数が所定の回数以上であると第二の表示制御部７にて判定されるため、３０１号室の入居者「○○  ○彦」の近傍の表示領域に、第二のアイコンである「外出」の表示が行われる。また、識別情報「０００３」で特定されるアイコンは、ヘルプ表示回数が所定の回数未満であると第二の表示制御部７にて判定されるため、１０１号室の入居者「○○  ○男」の近傍の表示領域に、第一のアイコンである「在」の表示が行われる。
【００３０】
以上詳しく説明したように、本実施形態によれば、操作部４の操作によりアイコンの詳細な内容を表示するためのヘルプ表示が行われた回数をアイコン毎に集計部６にて集計し、その回数が所定の回数未満のアイコンについては、第二の表示制御部７は、そのアイコンの内容を簡略化した第一のアイコンでディスプレイの画面上に表示させるとともに、集計した回数が所定の回数以上のアイコンについては、第二の表示制御部７は、そのアイコンの内容を示す文字列により構成され、第一のアイコンよりも大きいサイズの第二のアイコンでディスプレイの画面上に表示させるようにしている。
【００３１】
これにより、ヘルプ表示の回数が多いアイコンは、アイコンを見た使用者が内容を把握できていないと考えられるため、アイコンの内容を示す文字列により構成される第二のアイコンで表示が行われ、ヘルプ表示回数が少ないアイコンは、アイコンを見た使用者が内容を把握できていると考えられるため、アイコンの内容を簡略化した第一のアイコンで表示が行われるので、使用者がディスプレイの画面上に表示されるアイコンを把握できる可能性が高くなる。また、第一のアイコンで表示しても使用者が内容を把握できるアイコンについては、簡略化した表示が行われ、第一のアイコンよりも大きいサイズの第二のアイコンの総数を少なくすることができるので、ディスプレイの画面上の表示領域にできるだけ多くのアイコンを表示することができる。
【００３２】
なお、前述した実施形態では、集計部６は、各アイコンのヘルプ表示が行われた総数を集計しているが、これに限定されない。例えば、図４に示すように、現在時刻を刻む時計部１０をアイコン表示装置１に設けることで、集計部６が所定時間内の回数のみを集計するようにしても良い。
【００３３】
また、前述した実施形態では、ヘルプ表示が行われた回数が所定の回数以上であるか所定の回数未満であるかによりアイコンの表示形態を異ならせているが、これに限定されない。例えば、ヘルプ表示が行われた回数が所定の回数を超えているか所定の回数以下であるかによりアイコンの表示形態を異ならせるようにしても良い。
【００３４】
また、前述した実施形態では、一つのアイコンにつき第一のアイコンと第二のアイコンとの二つの表示形態を持たせているが、これに限定されない。例えば、第二のアイコンよりも詳細な内容を示す第三のアイコンなどを追加して、一つのアイコンにつき三つ以上の表示形態を持たせるようにしても良い。
【００３５】
また、前述した実施形態では、第二のアイコンが二文字の文字列で表現されているが、これに限定されない。例えば、三文字以上の文字列で第二のアイコンを表現するようにしても良い。
【００３６】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３７】
１    アイコン表示装置
２    制御部
３    記憶部
４    操作部
５    第一の表示制御部
６    集計部
７    第二の表示制御部
８    インターフェース
【図１】
2013246536.tif 000003
【図２】
2013246536.tif 000004
【図３】
2013246536.tif 000005
【図４】
2013246536.tif 000006